(57)【特許請求の範囲】
【請求項１】
それぞれが複数の章のいずれかに属する複数の本紙を、小口において前記各章の範囲を示す各章範囲画像が、隣接する該章範囲画像同士の天地方向の位置が互いに異なる状態で並んで表示される書籍にくるみ製本するため、前記複数の本紙のデータを編集するデータ編集装置であって、
前記章範囲画像を強調するマーカ画像が、前記複数の章のうち、該章に属する本紙の頁数が所定の閾値以下である章の範囲を示す前記章範囲画像に隣接するように、前記データを編集するマーカ画像編集部を備えたことを特徴とするデータ編集装置。
【請求項２】
前記マーカ画像編集部が、前記章範囲画像の天地方向に直交する方向の少なくとも片側に前記マーカ画像が隣接するように、前記データを編集するものであることを特徴とする請求項１に記載のデータ編集装置。
【請求項３】
前記マーカ画像編集部が、前記頁数が所定の閾値以下である章の直前の章の最終頁より所定頁数分および／または直後の章の最初頁より所定頁数分の範囲に前記マーカ画像が表示されるように、前記データを編集するものであることを特徴とする請求項２に記載のデータ編集装置。
【請求項４】
前記マーカ画像編集部が、前記直前および／または前記直後の章の全範囲に前記マーカ画像が表示されるように、前記データを編集するものであることを特徴とする請求項２に記載のデータ編集装置。
【請求項５】
それぞれが複数の章のいずれかに属する複数の本紙を、小口において前記各章の範囲を示す各章範囲画像が、隣接する該章範囲画像同士の天地方向の位置が互いに異なる状態で並んで表示される書籍にくるみ製本するため、前記複数の本紙のデータを編集するためにコンピュータを、
前記章範囲画像を強調するマーカ画像が、前記複数の章のうち、該章に属する本紙の頁数が所定の閾値以下である章の範囲を示す前記章範囲画像に隣接するように、前記データを編集するマーカ画像編集部として機能させるためのデータ編集プログラム。
【発明の詳細な説明】
【技術分野】
【０００１】
本発明はくるみ製本用のデータ編集装置およびプログラムに関する。より詳しくは、製本された書籍の小口を見ることにより、各章の範囲を把握できるくるみ製本用のデータ編集装置およびプログラムに関する。
【背景技術】
【０００２】
従来、複数の本紙を束ねた本紙束を表紙で包んで書籍に製本するくるみ製本が知られている。また、書籍の小口を見ることにより、各章が本紙束のどの辺りにあるのかを把握したいという要求も存在する。
【０００３】
特許文献１には、章番号画像をスライスしたスライス画像を章番号に対応する本紙の端部に印刷することにより、小口の各章に対応する位置に章番号画像を表示する技術が提案されている。
【０００４】
しかしながら、特許文献１に提案された技術は、スライス画像を生成するという複雑な処理を必要とするため、章番号を示す章画像を各章に対応する本紙の端部に印刷することにより、小口に各章の範囲を示す複数の章範囲画像を天地方向に章番号順に表示する技術も知られている。
【先行技術文献】
【特許文献】
【０００５】
【特許文献１】特開２０１０−１３１７５８号公報
【発明の概要】
【発明が解決しようとする課題】
【０００６】
しかしながら、頁数の少ない章の章範囲画像は視認し辛いため、頁数の少ない章に属する本紙が本紙束のどの辺りにあるのかを探すのに煩わしさを感じる虞がある。
【０００７】
本発明の目的は、上記事情に鑑み、頁数の少ない章の章範囲を視認し易くするデータ編集装置およびプログラムを提供することにある。
【課題を解決するための手段】
【０００８】
上記の課題を解決するために、本発明のデータ編集装置は、それぞれが複数の章のいずれかに属する複数の本紙を、小口において各章の範囲を示す各章範囲画像が、隣接する章範囲画像同士の天地方向の位置が互いに異なる状態で並んで表示される書籍にくるみ製本するため、複数の本紙のデータを編集するデータ編集装置であって、章範囲画像を強調するマーカ画像が、複数の章のうち、この章に属する本紙の頁数が所定の閾値以下である章の範囲を示す章範囲画像に隣接するように、データを編集するマーカ画像編集部を備えたことを特徴とする。
【０００９】
本発明のデータ編集プログラムは、コンピュータを上記のデータ編集装置として機能させるために、上記マーカ画像編集部をマーカ画像編集手段として機能させるものである。
【００１０】
ここで、本発明のデータ編集装置およびプログラムにおける「本紙」とは、本文を構成する文字や数字や図や写真等が印刷された紙を意味する。「本紙のデータ」とは、用紙に本文を印刷するための本紙の画像データを意味する。上記「本紙のデータを編集する」とは、本紙を表すデータを編集することを意味するものであり、本紙内の既在の文字および画像等の位置や、大きさや、向きを変更することに限定されず、新たな文字や画像等を付加することをも含んでいる。また、上記「隣接」とは、必ずしも接している状態に限定されるものではなく、近傍に位置することをも含む意味である。また、「天地方向」とは、書籍の天から地または地から天に向けた方向を意味する。
【００１１】
また、本発明のデータ編集部は、マーカ画像編集部が、章範囲画像の天地方向に直交する方向の少なくとも片側にマーカ画像が隣接するように、データを編集するものであってもよい。
【００１２】
また、本発明のデータ編集装置は、頁数が所定の閾値以下である章の直前の章の最終頁より所定頁数分および／または直後の章の最初頁より所定頁数分の範囲にマーカ画像が表示されるように、データを編集するものであってもよい。
【００１３】
ここで、上記「直前の章」とは、頁数が所定の閾値以下である章の直前の章番号を有する章、上記「直後の章」とは、頁数が所定の閾値以下である章の直後の章番号を有する章をそれぞれ意味する。
【００１４】
また、本発明のデータ編集部は、マーカ画像編集部が、直前および／または直後の章の全範囲にマーカ画像が表示されるように、データを編集するものであってもよい。
【発明の効果】
【００１５】
本発明のデータ編集装置およびプログラムによれば、それぞれが複数の章のいずれかに属する複数の本紙を、小口において各章の範囲を示す各章範囲画像が、隣接する章範囲画像同士の天地方向の位置が互いに異なる状態で並んで表示される書籍にくるみ製本するため、複数の本紙のデータを編集する際に、章範囲画像を強調するマーカ画像が、複数の章のうち、章に属する本紙の頁数が所定の閾値以下である章の範囲を示す章範囲画像に隣接するように、データを編集するため、マーカ画像が、頁数が所定の閾値以下である章の章範囲画像を強調して目立たせるため、頁数が所定の閾値以下である章の章範囲を視認し易くする。
【００１６】
また、本発明のデータ編集装置によれば、章範囲画像の天地方向に直交する方向の少なくとも片側にマーカ画像が隣接するように、データを編集することにより、マーカ画像が、頁数の少ない章範囲画像の幅を目立たせるため、頁数が所定の閾値以下である章の章範囲を視認し易くする。
【００１７】
また、本発明のデータ編集装置によれば、頁数が所定の閾値以下である章の直前の章の最終頁より所定頁数分および／または直後の章の最初頁より所定頁数分の範囲にマーカ画像が表示されるように、データを編集することにより、マーカ画像の強調度合いを調整しつつ、頁数が所定の閾値以下である章の章範囲を視認し易くする。
【００１８】
また、本発明のデータ編集装置によれば、直前および／または直後の章の全範囲にマーカ画像が表示されるように、データを編集することにより、直前および／または直後の章に属する本紙において、マーカ画像が表示される本紙とマーカ画像が表示されない本紙とが混在することを回避しつつ、頁数が所定の閾値以下である章の章範囲を視認し易くする。
【図面の簡単な説明】
【００１９】
【図１】くるみ製本システムの概略構成図
【図２】データ編集部のブロック図
【図３Ａ】表紙印刷画像の編集画面を示す図（その１）
【図３Ｂ】表紙印刷画像の編集画面を示す図（その２）
【図４】本紙印刷画像の編集画面を示す図
【図５】章画像と章範囲画像との関係を示す模式図
【図６】マーカ画像の設定画面（その１）
【図７】章画像とマーカ片画像との関係を示す模式図（その１）
【図８】マーカ画像の設定画面（その２）
【図９】章画像とマーカ片画像との関係を示す模式図（その２）
【図１０】データ編集部の一連の処理を示すフローチャート
【発明を実施するための形態】
【００２０】
発明の実施形態について図面を参照して説明する。図１は、本発明の一実施形態に係るデータ編集部４４を用いたくるみ製本システム１の概略構成図である。くるみ製本システム１は、図１に示すように、印刷装置２、印刷装置２に隣接する製本装置３、印刷装置２とネットワークを介して接続するコンピュータ４とから構成されている。
【００２１】
くるみ製本システム１は、コンピュータ４において、原稿データＤＤを生成し、原稿データＤＤに基づいて画像データＧＤを生成し、画像データＧＤに基づいて印刷データＰＤを生成する。そして、印刷装置２において、印刷データＰＤに基づいて１枚の表紙Ｃおよび複数枚の本紙Ｈを印刷し、製本装置３において、複数枚の本紙Ｈを束ねて表紙Ｃで包んで書籍に製本する。
【００２２】
原稿データＤＤは、表紙Ｃの原稿（以下、表紙原稿ＣＤという。）を表す表紙原稿データＣＤＤと本紙Ｈの原稿（以下、本紙原稿ＨＤという。）を表す本紙原稿データＨＤＤとから構成される。
【００２３】
画像データＧＤは、表紙Ｃの印刷画像（以下、表紙画像ＣＧという）を表す表紙画像データＣＧＤと複数の本紙Ｈの印刷画像（以下、本紙画像ＨＧという）を表す複数の本紙画像データＨＧＤとから構成される。
【００２４】
印刷データＰＤは、表紙Ｃの印刷ジョブデータである表紙印刷データＣＰＤと本紙Ｈの印刷ジョブデータである本紙印刷データＨＰＤとから構成される。印刷データＰＤはＰＤＬ（Page Description Language）データやラスターデータで構成される。
【００２５】
最初に印刷装置２について説明する。印刷装置２は、印刷データＰＤをコンピュータ４からネットワークを介して受け取り、表紙印刷データＣＰＤに基づいて表紙用紙に１枚の表紙Ｃと本紙印刷データＨＰＤに基づいて本紙用紙に複数枚の本紙Ｈとを印刷するものである。印刷装置２は、印刷制御部２１、画像データ記憶部２２、印刷給紙部２３および印刷部２４を備えている。
【００２６】
印刷制御部２１は、各部を制御することにより印刷装置２の全体を制御するものである。また、印刷制御部２１は、コンピュータ４から印刷データＰＤを受け取り、印刷データＰＤに基づいて画像データＧＤを展開する。印刷制御部２１は、表紙印刷データＣＰＤに基づいて表紙画像データＣＧＤ、本紙印刷データＨＰＤに基づいて複数の本紙画像データＨＧＤをそれぞれ展開する。
【００２７】
画像データ記憶部２２は、表紙画像データＣＧＤおよび複数の本紙画像データＨＧＤを印刷が行われるまで記憶するものである。
【００２８】
印刷給紙部２３は、印刷部２４に表紙用紙または本紙用紙を給紙するものである。印刷給紙部２３は、表紙用紙を給紙トレイ２３Ａ、本紙用紙を給紙トレイ２３Ｂにそれぞれ収納する。
【００２９】
印刷部２４は、画像データＧＤに基づいて、１枚の表紙Ｃおよび／または複数枚の本紙Ｈを印刷するものである。印刷部２４は、表紙画像データＣＧＤに基づいて、表紙用紙に表紙画像ＣＧを印刷し、本紙画像データＨＧＤに基づいて、本紙用紙に本紙画像ＨＧを印刷する。印刷部２４には、孔版印刷プリンタやインクジェットプリンタやレーザープリンタ等を用いてもよい。
【００３０】
本紙印刷データＨＰＤには、頁数情報、片面印刷または両面印刷かを示す印刷条件情報も付加されており、印刷制御部２１は、これらの情報に基づいて、本紙Ｈの総枚数に本紙用紙１枚あたりの厚みを乗算して本紙束の厚みを算出し、印刷部２４に適切なサイズの表紙用に表紙を印刷させる。
【００３１】
次に製本装置３について説明する。製本装置３は、くるみ製本装置であり、複数枚の本紙Ｈを本紙束に束ね、本紙束の背側の側面に接着剤を塗布した後に表紙Ｃで包んで製本するものである。また、製本装置３は、本紙束の小口側、天側および地側の各側面から所定寸法だけ内側を裁断（以下、化粧裁ちと言う。）して製本できる。
【００３２】
次にコンピュータ４について説明する。コンピュータ４は、表示部４Ａ、入力部４Ｂおよび本体４Ｃから構成されている。表示部４Ａは、液晶モニタ等の表示装置であり、後述する原稿データ作成プログラム、プリンタドライバおよびデータ編集プログラムを表示する。入力部４Ｂは、キーボード、マウス、ポインティングデバイス等の入力装置であり、ユーザによる原稿データ作成プログラム、プリンタドライバおよびデータ編集プログラムに対する指示を受け付ける。
【００３３】
本体４Ｃは、中央処理装置（ＣＰＵ）および半導体メモリやハードディスク等から構成され、メモリ４１に原稿データ作成プログラム、プリンタドライバおよびデータ編集プログラムをインストールすることにより、コンピュータ４を原稿データ作成部４２、印刷出力部４３およびデータ編集部４４として機能させる。
【００３４】
メモリ４１は、原稿データ作成プログラム、プリンタドライバ、データ編集プログラム、原稿データＤＤおよび画像データＧＤを記憶するものである。なお、原稿データＤＤおよび画像データＧＤは、コンピュータ４以外の他のコンピュータで作成されたものであってもよい。
【００３５】
原稿データ作成部４２は、原稿データＤＤを生成するプログラムである。原稿データ作成プログラムには、原稿作成用としてMicrosoft社のWord、Excel（登録商標）、PowerPoint（登録商標）、原稿データＤＤへの変換用としてPDF（登録商標）ドライバ等のプログラムを用いてもよい。
【００３６】
原稿データ作成部４２は、表紙原稿ＣＤおよび本紙原稿ＨＤを、表示部４Ａに表示しながら入力部４Ｂが受け付ける操作に基づいて形成し、PDF（Portable Document Format）形式の原稿データＤＤを生成する。原稿データ作成部４２は、本紙原稿ＨＤの各頁が属する章情報を本紙原稿データＨＤＤに付加する。
【００３７】
印刷出力部４３は、データ編集部４４から画像データＧＤを受け取り、印刷データＰＤを生成して印刷装置２に出力するものである。プリンタドライバは、データ編集部４４が印刷処理を行うことで起動される。
【００３８】
本発明の一実施形態であるデータ編集部４４は、原稿データＤＤに基づいて、画像データＧＤを生成するものであり、表紙原稿データＣＤＤに基づいて表紙画像データＣＧＤ、本紙原稿データＨＤＤに基づいて複数の本紙画像データＨＧＤを生成する。
【００３９】
図２はデータ編集部４４のブロック図を示す。データ編集部４４は、図２に示す通り、制御部４４１、表紙画像データ生成部４４２、本紙画像データ生成部４４３、章画像データ合成部４４４、マーカ画像データ生成部４４５およびマーカ画像データ合成部４４６から構成されている。
【００４０】
制御部４４１は、各部を制御することにより、データ編集部４４の全体を制御するものである。また、制御部４４１は、入力部４Ｂが受け付けたユーザ指定の原稿データＤＤをメモリ４１から読み出すものでもある。
【００４１】
表紙画像データ生成部４４２は、表紙原稿データＣＤＤに基づいて、表紙画像データＣＧＤを作成するものである。図３Ａおよび図３Ｂは表紙画像ＣＧの編集画面を示す。表紙画像データ生成部４４２は、図３Ａおよび図３Ｂに示すように、白紙表紙画像上に表紙原稿ＣＤを配置して表紙画像ＣＧを表示するとともに、表紙画像ＣＧのサムネイル画像も表示する。
【００４２】
ユーザは表紙画像ＣＧを参照しながら、白紙表紙画像上の表紙原稿ＣＤが所望の位置、方向および大きさとなるように入力部４Ｂを操作する。表紙画像データ生成部４４２は、入力部４Ｂが受け付けた操作情報に基づいて、表紙画像ＣＧを編集して表紙画像データＣＧＤを生成する。
【００４３】
表紙画像ＣＧは、図３Ａおよび図３Ｂに示す通り、表表紙画像、背表紙画像、裏表紙画像、表表紙の裏面画像、背表紙の裏面画像および裏表紙の裏面画像から構成される。図３Ａおよび図３Ｂは、左綴じ用の表紙Ｃの表紙画像ＣＧを示している。なお、左綴じ用の表紙Ｃに限定されるものではなく、右綴じ用または上綴じ用の表紙Ｃにも対応可能である。
【００４４】
表紙画像データ生成部４４２は、入力部４Ｂが受け付けた製本の綴じ位置情報、すなわち表紙Ｃが左綴じ、右綴じまたは上綴じであるかに応じて、表表紙画像、背表紙画像、裏表紙画像、表表紙の裏面画像、背表紙の裏面画像および裏表紙の裏面画像の白紙表紙画像上の配置順を変更できる。
【００４５】
本紙画像データ生成部４４３は、本紙原稿データＨＤＤに基づいて、本紙の印刷に用いる複数の本紙画像データＨＧＤを作成するものである。図４は本紙画像ＨＧの編集画面を示す。本紙画像データ生成部４４３は、図４に示すように、本紙原稿データＨＤＤに基づいて、白紙本紙画像上に本紙原稿ＨＤを配置して各本紙画像ＨＧを頁順に表示するとともに、各本紙画像ＨＧのサムネイル画像も表示する。
【００４６】
ユーザは本紙画像ＨＧを参照しながら、白紙本紙画像上の本紙原稿ＨＤが所望の位置、方向および大きさとなるように入力部４Ｂを操作する。本紙画像データ生成部４４３は、入力部４Ｂが受け付けた操作情報に基づいて、本紙画像ＨＧを編集して本紙画像データＨＧＤを生成する。
【００４７】
また、本紙画像データ生成部４４３は、入力部４Ｂが受け付けた面付け情報に基づいて、本紙白紙画像上に面数分の本紙原稿ＨＤを配置する。また、本紙画像データ生成部４４３は、入力部４Ｂが受け付けた片面印刷または両面印刷であるかを示す印刷条件情報に基づいて、各本紙画像ＨＧが本紙の表面または裏面のいずれに属するかの識別を表示する。
【００４８】
図５は、章画像と章範囲画像との関係を模式的に示す。章画像データ合成部４４４は、図５に示すように、書籍の小口に各章の範囲を示す章範囲画像ＩＲＧと本紙Ｈ上の小口側の端部に章番号を示す章画像ＩＧとを表す章画像データＩＧＤを、各章範囲画像ＩＲＧが章番号順に天地方向に並んで表示されるように、章画像データＩＧＤを各本紙画像データＨＧＤに合成するものである。本実施形態において、章範囲画像ＩＲＧは、全章範囲画像ＩＲＧが章番号順に天地方向に並ぶものであるが、特定の章番号を有する各章範囲画像ＩＲＧ、たとえば、５章、１０章、１５章の章範囲画像ＩＲＧが再び最も天側に表示され、後続の章範囲画像ＩＲＧが章番号順に天地方向に並んで表示されてもよい。
【００４９】
本実施形態では、各本紙Ｈは左綴じされるため、最初の章の章範囲画像ＩＲＧが天側左に配置され、最後の章の章範囲画像ＩＲＧが地側右に配置される。章画像ＩＧは、章番号を含み、章範囲画像ＩＲＧを表示するための直線部を有する画像であれば、特に限定されるものではない。そして、この直線部が、各本紙Ｈ上の小口側の端より３ｍｍ以内に印刷される。
【００５０】
また、本実施形態において、章画像データ合成部４４４は、本紙原稿データＨＤＤに付加された章情報に基づいて、章画像データＩＧＤを章番号に対応する各本紙画像データＨＧＤに合成するものであるが、入力部４Ｂが受け付けた各本紙原稿データＨＤＤの章情報に基づいて、章画像データＩＧＤを合成してもよい。
【００５１】
マーカ画像データ生成部４４５は、閉じた書籍の小口で章範囲画像ＩＲＧに隣接するマーカ画像ＭＧと各本紙Ｈ上の小口側の端部にマーカ片画像ＭＰＧとを表すマーカ画像データＭＧＤを生成するものである。マーカ画像ＭＧおよびマーカ片画像ＭＰＧの詳細については後述する。
【００５２】
マーカ画像データ合成部４４６は、各章の頁数を取得し、頁数が所定の閾値以下である章の章範囲画像ＩＲＧを強調するマーカ画像ＭＧが隣接するように、マーカ画像データＭＧＤを章画像データＩＧＤが合成された各本紙画像データＨＧＤに合成するものである。
【００５３】
マーカ画像データ合成部４４６は、片面印刷においては３頁以下、両面印刷においては６頁以下の章に属する各本紙画像データＨＧＤにマーカ画像データＭＧＤを合成する。この閾値は、予め記憶されていてもよいし、入力部４Ｂが受け付けてもよい。
【００５４】
図６および図８は、マーカ画像ＭＧの設定画面を示す。マーカ画像データ合成部４４６は、マーカ画像データＭＧＤを合成する際に、図６および図８に示すようなマーカ画像ＭＧの設定画面を表示部４Ａに表示させることにより、入力部４Ｂにマーカ画像ＭＧの隣接する方向および隣接する範囲の指示を受け付けさせる。
【００５５】
マーカ画像データ合成部４４６は、入力部４Ｂがマーカ画像ＭＧの隣接方向を天地方向に直交する方向とする旨の指示を受け付けると、図６に示すように、頁数が所定の閾値以下である章の天地方向と直交する方向にマーカ画像ＭＧを隣接させるように、マーカ画像データＭＧＤを頁数が所定の閾値以下である章の直前および／または直後の章に属する、章画像データＩＧＤが合成された各本紙画像データＨＧＤに合成する。
【００５６】
図７は、マーカ画像ＭＧの隣接方向を天地方向に直交する方向とする際の章画像ＩＧとマーカ片画像との関係を示す。本実施形態では、第三章の頁数が所定の閾値以下であるものとする。したがって、第三章の章範囲画像ＩＲＧにマーカ画像ＭＧを隣接させる。このため、マーカ片画像ＭＰＧは、図７に示すように、第三章の位置に対応する第二章に属する各本紙Ｈ上および第三章の位置に対応する第四章に属する各本紙Ｈ上に印刷される。
【００５７】
マーカ片画像ＭＰＧは、マーカ画像ＭＧを表示するための天地方向に延びる直線部を有する画像であれば、特に限定されるものではない。マーカ片画像ＭＰＧの直線部は、本紙Ｈの小口側の端より、望ましくは、３ｍｍ以内、より望ましくは小口端に印刷される。また、直線部は１つに限定されるものではなく、図７に示すように複数あってもよい。そして、各直線部の長さの合計は、望ましくは、章画像ＩＧの天地方向の長さの５０パーセント以上、より望ましくは、８０パーセント以上である。
【００５８】
マーカ画像ＭＧも、特に限定されるものではないが、マーカ画像データ合成部４４６は、頁数が所定の閾値以下である章範囲画像ＩＲＧとは、大きさ、形状もしくは色彩の異なるマーカ画像ＭＧを表すマーカ画像データＭＧＤを合成してもよい。これにより、頁数が所定の閾値以下である章の章範囲画像ＩＲＧをより目立たせるとともに、マーカ画像ＭＧを天地方向に直交する方向に隣接させる場合に直前および／または直後の章の章範囲と誤認することなく、頁数が所定の閾値以下である章の章範囲を視認し易くする。
【００５９】
また、マーカ画像データ合成部４４６は、頁数が所定の閾値以下である章が最初の章であるとき、章範囲画像ＩＲＧの天地方向と直交する方向の直後の章側にのみマーカ画像ＭＧを隣接させるように、マーカ画像データＭＧＤを直後の章に属する、章画像データＩＧＤが合成された各本紙画像データＨＧＤに合成してもよい。また、マーカ画像データ合成部４４６は、頁数が所定の閾値以下である章が最後の章であるとき、章範囲画像ＩＲＧの天地方向と直交する方向の直前の章側にのみマーカ画像ＭＧを隣接させるように、マーカ画像データＭＧＤを直前の章に属する、章画像データＩＧＤが合成された各本紙画像データＨＧＤに合成してもよい。
【００６０】
これにより、マーカ画像データ合成部４４６は、章範囲画像ＩＲＧの両側にマーカ画像ＭＧを隣接させることが困難な場合であっても、頁数が所定の閾値以下である章の章範囲を強調して視認し易くする。
【００６１】
また、マーカ画像データ合成部４４６は、入力部４Ｂがマーカ画像ＭＧの隣接範囲を直前および／または直後の章の全体とする旨の指示を受け付けると、章範囲画像ＩＲＧの天地方向に直交する方向の少なくとも片側に直前および／または直後の章の全頁に亘るマーカ画像ＭＧが隣接するように、マーカ画像データＭＧＤを直前および／または直後の章に属する、章画像データＩＧＤが合成された各本紙画像データＨＧＤに合成してもよい。
【００６２】
これにより、直前および／または直後の章の全頁に亘るマーカ画像ＭＧが頁数が所定の閾値以下である章の章範囲画像ＩＲＧを目立たせるため、頁数が所定の閾値以下である章の章範囲をより強調して視認し易くする。
【００６３】
また、マーカ画像データ合成部４４６は、入力部４Ｂがマーカ画像ＭＧの隣接範囲を直前および／または直後の章の所定数頁とする旨の指示を受け付けると、章範囲画像ＩＲＧの天地方向と直交する方向の少なくとも片側に、直前の章の最終頁より所定頁および／または直後の章の最終頁より所定頁に亘るマーカ画像ＭＧが隣接するように、各マーカ画像データＭＧＤを直前および／または直後の章に属する、章画像データＩＧＤが合成された各本紙画像データＨＧＤに合成してもよい。
【００６４】
これにより、直前および／または直後の章の所望の頁数に亘るマーカ画像ＭＧが、頁数が所定の閾値以下である章の章範囲画像ＩＲＧを目立たせるため、直前および／または直後の章の章範囲と誤認することなく、頁数が所定の閾値以下である章の章範囲を視認し易くする。
【００６５】
また、マーカ画像データ合成部４４６は、入力部４Ｂがマーカ画像ＭＧの隣接方向を天地方向とする旨の指示を受け付けると、図８に示すように、頁数が所定の閾値以下である章の天地方向にマーカ画像ＭＧが隣接するように、マーカ画像データＭＧＤを頁数が所定の閾値以下である章に属する、章画像データＩＧＤが合成された各本紙画像データＨＧＤに合成する。
【００６６】
図９は、マーカ画像ＭＧの隣接方向を天地方向とする際の章画像ＩＧとマーカ片画像との関係を示す。マーカ片画像ＭＰＧは、図９に示すように、第三章に属する各本紙Ｈ上に章画像ＩＧを天地方向に挟んで印刷される。マーカ画像合成部４４６は、第三章に属する各本紙画像データＨＧＤの全てにマーカ画像データＰＤを合成するものであるが、所定の頁数分の第三章に属する各本紙画像データＨＧＤに合成してもよい。
【００６７】
次にデータ編集部４４の作用を説明する。図１０はデータ編集部４４の一連の処理を示すフローチャートである。最初に、制御部４４１がユーザ指定の原稿データＤＤを読み出す（ＳＴ１）。表紙画像データ生成部４４２が、表紙原稿データＣＤＤに基づいて、表紙画像データＣＧＤを生成する（ＳＴ２）。
【００６８】
本紙画像データ生成部４４３が、本紙原稿データＨＤＤに基づいて、本紙画像データＨＧＤを生成する（ＳＴ３）。章画像データ合成部４４４が各章画像データＩＧＤを各本紙画像データＨＧＤに合成する（ＳＴ４）。
【００６９】
マーカ画像データ生成部４４５がマーカ画像データＭＧＤを生成し（ＳＴ５）、マーカ画像データ合成部４４６がマーカ画像ＭＧの設定画面を表示させることにより、マーカ画像ＭＧの隣接方向の指示を受け付ける（ＳＴ６）。マーカ画像データ合成部４４６が各章の頁数を算出する（ＳＴ７）。
【００７０】
マーカ画像データ合成部４４６が、全ての章の頁数が所定の閾値以下であるかを判別する（ＳＴ８）。いずれかの章で頁数が所定の閾値以下であるとき、マーカ画像ＭＧの隣接方向が天地方向であるか否かを確認し（ＳＴ９）、隣接方向が天地方向の場合はマーカ画像ＭＧが天地方向に隣接されるようにマーカ画像データＭＧＤを章画像データＩＧＤが合成された各本紙画像データＨＧＤに合成し（ＳＴ９）、隣接方向が天地方向でない場合はマーカ画像ＭＧが天地方向に直交する方向に隣接されるように、マーカ画像データＭＧＤを章画像データＩＧＤが合成された各本紙画像データＨＧＤに合成し、処理を終了する。
【００７１】
また、マーカ画像データ合成部４４６は、全ての章で頁数が所定の閾値を超える場合もその処理を終了する。なお、本紙画像データＨＧＤの生成と表紙画像データＣＧＤの生成の順序は特に限定されるものではない。
【００７２】
最後にくるみ製本システム１全体の作用を説明する。コンピュータ４が、原稿データ作成プログラムを起動して表示部４Ａに表示する。原稿データ作成部４２が、入力部４Ｂが受け付けた操作に基づいて、原稿データＤＤを生成する。コンピュータ４が、データ編集プログラムを起動して表示部４Ａに表示する。
【００７３】
データ編集部４４が、入力部４Ｂが受け付けた操作に基づいて、画像データＧＤを生成する。データ編集部４４が印刷処理を実行すると、プリンタドライバが起動され、印刷出力部４３が画像データＧＤに基づいて印刷データＰＤを生成し、印刷装置２に出力する。印刷装置２が、印刷データＰＤに基づいて、１枚の表紙Ｃと複数枚の本紙Ｈとを印刷し、製本装置３が、複数枚の本紙Ｈを束ね、この本紙束を表紙Ｃで包んで製本する。
【００７４】
なお、本実施形態では、マーカ画像データＭＧＤを生成するものとして説明したが、マーカ画像データＭＧＤを外部より受け取ってもよい。また、本実施形態では、本紙画像データＨＧＤに章画像データＩＧＤを合成し、さらにマーカ画像データＭＧＤを合成しているが、別々のデータに分けることなく、章範囲画像ＩＲＧおよびマーカ画像ＭＧを表示させる処理を行ってもよい。
【００７５】
以上に述べた通り、データ編集部４４によれば、所定の閾値以下の頁数を有する章の章範囲画像ＩＲＧにマーカ画像ＭＧを隣接させることにより、マーカ画像ＭＧが所定の閾値以下の頁数を有する章の章範囲画像ＩＲＧを強調して目立出せるため、所定の閾値以下の頁数を有する章の章範囲を視認し易くする。
【００７６】
また、データ編集部４４によれば、マーカ画像ＭＧを章範囲画像ＩＲＧとは異なる形状、大きさ、または色彩とすることにより、より章範囲画像ＩＲＧを強調して目立たせることができるため、所定の閾値以下の頁数を有する章の章範囲をより視認し易くできる。
【符号の説明】
【００７７】
Ｃ      表紙
ＤＤ    原稿データ
Ｈ      本紙
ＨＧＤ  本紙画像データ
ＩＧ    章画像
ＩＧＤ  章画像データ
ＩＲＧ  章範囲画像
ＭＧ    マーカ画像
ＭＧＤ  マーカ画像データ
ＭＰＧ  マーカ片画像
４      コンピュータ
４４    データ編集部
４４３  本紙画像データ生成部
４４４  章画像データ合成部
４４５  マーカ画像データ生成部
４４６  マーカ画像データ合成部
【図１】
0005943462.tif 000002
【図２】
0005943462.tif 000003
【図３Ａ】
0005943462.tif 000004
【図３Ｂ】
0005943462.tif 000005
【図４】
0005943462.tif 000006
【図５】
0005943462.tif 000007
【図６】
0005943462.tif 000008
【図７】
0005943462.tif 000009
【図８】
0005943462.tif 000010
【図９】
0005943462.tif 000011
【図１０】
0005943462.tif 000012